(57)【要約】      （修正有）【課題】フェンス等の建造物にブレードが当たってもブレードの刃が破損するのを防止できるヘッジトリマーのブレードガードを提供する。【解決手段】ヘッジトリマーのブレードガード９は、駆動源を設けた本体部と、この本体部から延設され、葉受け板５１及び前記葉受け板に重合されたブレード５２からなるブレード部５と、作業者が手で持つことができるハンドルとを備えたヘッジトリマーにおいて、円板状に形成された円板状ガードと、円板状ガードを当該円板状ガードの中心点で回転可能に葉受け板に固定する固定軸とを備え、ブレード５２の先端から少なくとも第１番目の刃５２ａと第２番目の刃５２ｂの先端の外側に、円板状ガードの外周が配置される位置で当該円板状ガードの中心点が固定軸９２を介して葉受け板５１に固定されたなることを特徴とする。【選択図】図２
0003156473.tif 000002
【実用新案登録請求の範囲】
【請求項１】
駆動源を設けた本体部と、この本体部から延設され、葉受け板及び前記葉受け板に重合されたブレードからなるブレード部と、作業者が手で持つことができるハンドルとを備えたヘッジトリマーにおいて、
円板状に形成された円板状ガードと、円板状ガードを当該円板状ガードの中心点で回転可能に葉受け板に固定する固定軸とを備え、
ブレードの先端から少なくとも第１番目の刃と第２番目の刃の先端の外側に、円板状ガードの外周が配置される位置で当該円板状ガードの中心点が固定軸を介して葉受け板に固定されたなることを特徴とするヘッジトリマーのブレードガード。
【請求項２】
円板状ガードは、金属板によって中心側の円形部と外周側の円形部を自転車の車輪のスポークのような形状の連結部で連結するような形状に形成したことを特徴とする請求項１記載のヘッジトリマーのブレードガード。
【請求項３】
円板状ガードは、透明板を円板状の形状のままで構成したことを特徴とする請求項１記載のヘッジトリマーのブレードガード。
【考案の詳細な説明】
【技術分野】
【０００１】  本考案はヘッジトリマーのブレードガードに係り、特にヘッジトリマーを使用中においてフェンス等の建造物にブレードの刃が当たってブレードの刃が破損するのを防止できるようにしたヘッジトリマーのブレードガードに関するものである。
【背景技術】
【０００２】  この種のヘッジトリマーは、生垣などの面を均一に刈り込み剪定するための刈り込み機として知られており、ブレード（バリカン歯）を交互に移動させる動力によって、電動式、充電式あるいは発動機（エンジン）式に分類されている。特に、レシプロエンジン式ヘッジトリマーは、回転力が強力であり、しかも屋外などで電力がとれない場所での刈り込み作業に好適であるため、よく使用されている（特許文献１参照）。【０００３】  ところで、道路の中央や側端には連続して植樹帯が設けられており、これらの植樹帯は一定期間毎に刈り込みする必要がある。これらの植樹帯の刈り込みは、レシプロエンジン式ヘッジトリマーを使用し、通常、人手で行われている。
【先行技術文献】
【特許文献】
【０００４】
【特許文献１】  特開２００５−２７００４１号公報
【考案の概要】
【考案が解決しようとする課題】
【０００５】  最近では、植樹帯沿いにフェンスを設置する箇所が多くなっているため、刈り込み剪定を行っている時に、ヘッジトリマーのブレードの刃がフェンスを噛んでしまい、ブレードを痛めてしまう結果、次のような不都合が生じる。
（１）ブレードの修理を専門店に依頼しなければならず、修理に数日かかってしまい作業効率がわるくなってしまうという不都合があった。
（２）作業を中断せざるを得ないため、仕事を予定どおり進められず、しかも修理代がかかってしまうという不都合もあった。
本考案は、上述した従来の不都合を解消し、フェンス等の建造物にブレードが当たってもブレードの刃が破損するのを防止できるヘッジトリマーのブレードガードを提供することを目的とする。
【課題を解決するための手段】
【０００６】  上記目的を達成するために、本願請求項１記載の考案は、駆動源を設けた本体部と、この本体部から延設され、葉受け板及び前記葉受け板に重合されたブレードからなるブレード部と、作業者が手で持つことができるハンドルとを備えたヘッジトリマーにおいて、
円板状に形成された円板状ガードと、円板状ガードを当該円板状ガードの中心点で回転可能に葉受け板に固定する固定軸とを備え、
ブレードの先端から少なくとも第１番目の刃と第２番目の刃の先端の外側に、円板状ガードの外周が配置される位置で当該円板状ガードの中心点が固定軸を介して葉受け板に固定されたなることを特徴とするものである。
本願請求項２記載の考案は、請求項１記載のヘッジトリマーのブレードガードにおいて、円板状ガードは、金属板によって中心側の円形部と外周側の円形部を自転車の車輪のスポークのような形状の連結部で連結するような形状に形成したことを特徴とするものである。
本願請求項３記載の考案は、請求項１記載のヘッジトリマーのブレードガードにおいて、円板状ガードは透明板を円板状の形状のままで構成したことを特徴とするものである。
【考案の効果】
【０００７】    本考案に係るヘッジトリマーのブレードガードは、上述したように構成したので、次のような利点が生じる。
（１）ブレードの刃がフェンスを噛むことがないため、専門店への修理依頼が不要になり、作業効率が悪化することがなくなるという利点がある。
（２）作業を中断する必要がないため、仕事を予定どおり進めることができ、しかも修理費用も必要がなくなるという利点がある。
【図面の簡単な説明】
【０００８】
【図１】  本考案の実施形態に係るブレードガードを備えたヘッジトリマーを示す斜視図である。
【図２】  本考案の実施形態に係るブレードガードとブレードとの関係を示す一部拡大図である。
【考案を実施するための形態】
【０００９】  以下、図面を参照しながら本考案の実施形態を説明する。
図１は本考案の実施形態に係るブレードガードを備えたヘッジトリマーを示す斜視図である。図２は本考案の実施形態に係るブレードガードとブレードとの関係について一部を拡大して示す図である。
【００１０】  この図１において、ヘッジトリマー１は、大別すると、レシプロエンジン等の駆動源を設けた本体部３と、この本体部３の底部から直線状に延設されたブレード部５とから構成されている。本体部３には、駆動源としてのレシプロエンジン３１と、燃料キャップ３２と、リコイルスタータ３３と、レシプロエンジンに必要な部材（図示せず）と、本体部３の底部に設けたギヤケース（図示せず）とが設けられている。このギヤケース（図示せず）によって、レシプロエンジン３１の回転力をブレード部５のブレードの往復動に変換している。なお、本明細書では、駆動源をレシプロエンジン３１で説明したが、電動機等であっても勿論よい。
【００１１】  また、ヘッジトリマー１には、作業者が手で持つことができる二つのハンドル７ａ、７ｂが設けられており、一方のハンドル７ａは本体部３の前部から、他方のハンドル７ｂは本体部３の後部から延出している。
【００１２】  また、ヘッジトリマー１のブレード部５は、葉受け板５１と、その葉受け板５１の図示下部であって葉受け板５１に重合された状態で設けられたブレード５２とからなる。
【００１３】    葉受け板５１の先端部には、図１及び図２に示すように、本考案のブレードガード９が固定されている。ブレードガード９は、真円板状形状に形成した円板状ガード９１と、円板状ガード９１を円板状ガード９１の中心点で回転可能に葉受け板５１に固定する固定軸９２とからなる。
【００１４】  円板状ガード９１は、ジュラルミン、アルミニュウム、鉄、真鍮等の金属板で構成すればよく、図２に示すように中心側の円形部９１ａと外周側の円形部９１ｂを自転車の車輪のスポークのような形状の連結部９１ｃ，９１ｃ，…で連結するような形状に形成すればよい。このような形状にする理由は、刈り込みを行うときに、ブレードの先端が見えるようにするためである。したがって、例えば透明のアクリル板のようなものであれば、前述したような形状にせずに、図１に示すように円板状の形状のままで使用してよい。
【００１５】  また、円板状ガード９１の中心を固定軸９２を介して葉受け板５１に固定するときには、図２に示すように、円板状ガード９１の外周側の円形部９１ｂの外周部がブレード５２の先端５３の第１番目の刃５２ａの先端部と、第２番目の刃５２ｂの先端部より外側に配置される位置に固定するものとする。また、円板状ガード９１の外周は、フェンス１１の縦軸部１１ａ，１１ｂの間隔よりも大きなものに設定されているものとする。
【００１６】  本考案の実施形態に係るブレードガードによれば、フェンス１１の近傍で刈り取り作業をしていても、図２に示すように、円板状ガード９１の外周がフェンス１１の縦軸部１１ａ，１１ｂに当たり、ブレード５２の刃５２ａ，５２ｂがフェンス１１の縦軸部１１ａ，１１ｂから離れた状態に保たれるため、ブレード５２の刃５２ａ，５２ｂが破損することがなくなる。
【００１７】  したがって、本考案の実施形態に係るブレードガードによれば、次のような利点が生じる。
（１）ブレードの刃がフェンスを噛むことがないため、専門店への修理依頼が不要になり、作業効率が悪化することがなくなるという利点がある。
（２）作業を中断する必要がないため、仕事を予定どおり進めることができ、しかも修理費用も必要がなくなるという利点がある。
【符号の説明】
【００１８】１  ヘッジトリマー
３  本体部
５  ブレード部
７ａ、７ｂ  ハンドル
９  ブレードガード
３１  レシプロエンジン
３２  燃料キャップ
５１  葉受け板
５２  ブレード
５２ａ  第１番目の刃
５２ｂ  第１番目の刃
９１  円板状ガード
９２  固定軸
【図１】
0003156473.tif 000003
【図２】
0003156473.tif 000004